(57)【要約】【課題】棚板の上下方向における取付位置の自由度を高め、使い勝手を向上させることが可能な、天板付什器を提供する。【解決手段】天板付什器１は、上方を向く作業面１２ｆを有する天板１２を備えた什器本体１０と、天板１２の幅方向に間隔をあけて一対設けられ、作業面１２ｆよりも上方に突出する支持体２１と、基端部３１ａが支持体２１に対してそれぞれ上下方向Ｄｖに位置変更可能に装着され、基端部３１ａから先端部３１ｂに向かって支持体２１から離間する方向に延びるブラケット３１と、一対のブラケット３１上に支持され、上面３２ｔに物品を載置可能な棚板３２と、を備え、什器本体１０のうち、ブラケット３１の基端部３１ａに上下方向で対向する部分には、天板１２の作業面１２ｆに対して下方に窪み、ブラケット３１の基端部３１ａの少なくとも下端部を収容可能な空間部１６が形成されている。【選択図】図１１
2020069032.tif 000002
【特許請求の範囲】
【請求項１】
上方を向く作業面を有する天板を備えた什器本体と、
前記天板の幅方向に間隔をあけて一対設けられるとともに、前記作業面よりも上方に突出する支持体と、
基端部が一対の前記支持体に対してそれぞれ上下方向に位置変更可能に装着され、前記基端部から先端部に向かって前記支持体から離間する方向に延びるブラケットと、
一対の前記ブラケット上に支持され、上面に物品を載置可能な棚板と、を備え、
前記什器本体のうち、前記ブラケットの前記基端部に上下方向で対向する部分には、前記作業面に対して下方に窪み、前記ブラケットの前記基端部の少なくとも下端部を収容可能な空間部が形成されている天板付什器。
【請求項２】
前記空間部は、前記天板の前記作業面よりも下方において配線を挿通させる配線挿通空間部である
請求項１に記載の天板付什器。
【請求項３】
前記ブラケットは、前記作業面に直交する面内に位置する板状に形成され、
前記棚板の上面に沿う上辺部と、
前記上辺部の下方において前記上辺部に沿って延びる下辺部と、
前記基端部において、前記下辺部から下方に突出するとともに、前記空間部に挿入可能とされた下部突出部と、を備える
請求項１又は２に記載の天板付什器。
【請求項４】
前記支持体には、前記ブラケットの前記基端部が装着される装着面に、上下方向に間隔をあけて複数の係止孔が形成され、
前記ブラケットは、前記基端部に、複数の前記係止孔に対して選択的に係合可能な係止爪を有する
請求項１から３のいずれか一項に記載の天板付什器。
【請求項５】
前記ブラケットは、
前記棚板に対して幅方向外側に位置し、前記棚板の幅方向外側の側端部を覆う側板部と、
前記側端部の上端よりも下方において前記側板部に対して前記棚板の幅方向内側に突出するとともに、前記側端部を下方から支持する棚板支持部と、を備える
請求項１から４のいずれか一項に記載の天板付什器。
【請求項６】
一対の前記支持体の間には、前記天板の幅方向に連続する仕切体が設けられ、
前記ブラケットは、前記棚板の上面が前記仕切体の上端面と上下方向で同じ高さとなる位置で前記支持体に装着可能とされている
請求項１から５のいずれか一項に記載の天板付什器。
【請求項７】
前記仕切体は、
一対の前記支持体の上端部間で前記天板の幅方向に延びる杆体と、
前記杆体の下方において、前記杆体よりも前記棚板から離間する方向に窪む凹部と、を備える
請求項６に記載の天板付什器。
【発明の詳細な説明】
【技術分野】
【０００１】
本発明は、天板付什器に関する。
【背景技術】
【０００２】
オフィス等で用いられるデスク等の天板付什器において、天板の作業面の上方空間における物品収容スペースを確保するため、天板の上方に棚を設けることがある。
例えば、特許文献１には、天板の作業面から上方に延びるとともに、前面にブラケット係止用の係止孔を上下方向に複数個備えた棚支柱と、棚支柱の前面に、前方を向くブラケットを介して設けられた棚板と、を備える構成が開示されている。このような構成において、ブラケットは、棚支柱に設けられた複数個の係止孔に対してブラケットの取付位置を変えることで、棚板の高さを変更可能となっている。
【先行技術文献】
【特許文献】
【０００３】
【特許文献１】特許第３８５６２５４号公報
【発明の概要】
【発明が解決しようとする課題】
【０００４】
しかしながら、特許文献１に開示されたような構成において、ブラケットは、棚板の下側に設けられている。ブラケットは、棚板の支持強度を高めるため、先端側から基端側に向かって上下方向の高さ寸法が大きくなっている。このため、ブラケットの基端部における下端と、天板の作業面と、の干渉を避けなければならず、棚板の上下方向の取付位置範囲に制限がある。
本発明は、棚板の上下方向における取付位置の自由度を高め、使い勝手を向上させることが可能な、天板付什器を提供することを目的とする。
【課題を解決するための手段】
【０００５】
上記目的を達成するために、本発明の一態様に係る天板付什器は、上方を向く作業面を有する天板を備えた什器本体と、前記天板の幅方向に間隔をあけて一対設けられるとともに、前記作業面よりも上方に突出する支持体と、基端部が一対の前記支持体に対してそれぞれ上下方向に位置変更可能に装着され、前記基端部から先端部に向かって前記支持体から離間する方向に延びるブラケットと、一対の前記ブラケット上に支持され、上面に物品を載置可能な棚板と、を備え、前記什器本体のうち、前記ブラケットの前記基端部に上下方向で対向する部分には、前記作業面に対して下方に窪み、前記ブラケットの前記基端部の少なくとも下端部を収容可能な空間部が形成されている。
【０００６】
このように、棚板を支持するブラケットの基端部の少なくとも下端部が、天板の作業面に対して下方に窪む空間部に収容されることで、ブラケットの基端部における上下方向の長さを確保しつつ、ブラケット及び棚板を、より低い位置まで下げることができる。これにより、ブラケットにおける棚板の支持強度を確保しつつ、棚板の上下方向における取付位置の自由度を高めて、使い勝手を向上させることが可能となる。
【０００７】
本発明の一態様に係る天板付什器において、前記空間部は、前記天板の前記作業面よりも下方において配線を挿通させる配線挿通空間部であるようにしてもよい。
この構成によれば、ブラケットの基端部の少なくとも下端部を配線挿通空間部に収容することで、基端部の収容空間（空間部）と配線挿通空間とを共用できる。これにより、配線挿通空間とは別に空間部をわざわざ設ける必要が無く、レイアウト性の向上や、空間部を設置するためのコストの削減を図ることができる。
【０００８】
本発明の一態様に係る天板付什器において、前記ブラケットは、前記作業面に直交する面内に位置する板状に形成され、前記棚板の上面に沿う上辺部と、前記上辺部の下方において前記上辺部に沿って延びる下辺部と、前記基端部において、前記下辺部から下方に突出するとともに、前記空間部に挿入可能とされた下部突出部と、を備えるようにしてもよい。
この構成によれば、ブラケットを板状とすることで、棚板との一体感を高めることができる。また、下辺部が天板の作業面に近接又は当接する位置までブラケットを下げることで、下辺部を天板の作業面に沿わせることができる。これにより、ブラケットにより、棚板の下方空間を天板の幅方向で仕切ることができる。
【０００９】
本発明の一態様に係る天板付什器において、前記支持体には、前記ブラケットの前記基端部が装着される装着面に、上下方向に間隔をあけて複数の係止孔が形成され、前記ブラケットは、前記基端部に、複数の前記係止孔に対して選択的に係合可能な係止爪を有するようにしてもよい。
この構成によれば、支持体の上下方向に設けられた複数の係止孔に対し、ブラケットの係止孔の係止位置を上下方向で選択することで、ブラケット及び棚板の高さを容易に変更することができる。
【００１０】
本発明の一態様に係る天板付什器において、前記ブラケットは、前記棚板に対して幅方向外側に位置し、前記棚板の幅方向外側の側端部を覆う側板部と、前記側端部の上端よりも下方において前記側板部に対して前記棚板の幅方向内側に突出するとともに、前記側端部を下方から支持する棚板支持部と、を備えるようにしてもよい。
この構成によれば、側板部の幅方向内側に設けられた棚板支持部で棚板の側端部を支持しつつ、ブラケットの側板部で棚板の側端部を幅方向外側から覆うことで、棚板の側端部とブラケットの接続部分が幅方向外側に露呈するのを抑えることができる。これにより、棚板とブラケットと一体感を高めることができる。
【００１１】
本発明の一態様に係る天板付什器において、一対の前記支持体の間には、前記天板の幅方向に連続する仕切体が設けられ、前記ブラケットは、前記棚板の上面が前記仕切体の上端面と上下方向で同じ高さとなる位置で前記支持体に装着可能とされているようにしてもよい。
この構成によれば、棚板の上面を仕切体の上端面と上下方向で同じ高さとなるように、ブラケットを支持体に装着すれば、棚板の上面と仕切体の上端面とが連続的に形成される。これにより、棚板の上面に載せた物品を、仕切体の上端面を通して仕切体の反対側に容易に受け渡すことが可能となる。
【００１２】
本発明の一態様に係る天板付什器において、前記仕切体は、一対の前記支持体の上端部間で前記天板の幅方向に延びる杆体と、前記杆体の下方において、前記杆体よりも前記棚板から離間する方向に窪む凹部と、を備えるようにしてもよい。
この構成によれば、棚板を杆体よりも下方に位置させ、棚板の上面が杆体よりも下方の凹部に臨むよう、ブラケットを支持体に装着すれば、棚板と仕切体の凹部との間に、前後方向の隙間が形成される。この隙間を通して、棚板上に載置する機器の配線等を挿通させることができ、利便性が高まる。
一方、仕切体の上端面は、杆体の上端面によって形成されることになる。棚板の上面を仕切体の上端面（杆体の上端面）と上下方向で同じ高さとなるように、ブラケットを支持体に装着すると、棚板と杆体との隙間が小さくなり、棚板の上面と杆体の上端面とが連続的に形成される。
【発明の効果】
【００１３】
本発明の一態様によれば、棚板の上下方向における取付位置の自由度を高め、使い勝手を向上させることが可能となる。
【図面の簡単な説明】
【００１４】
【図１】本発明の実施形態に係る天板付什器の全体構成を示す側面図である。
【図２】上記天板付什器の正面図である。
【図３】上記天板付什器に設けられた仕切パネルと棚板装置を示す斜視図である。
【図４】天板付什器に設けられた仕切パネルと棚板装置を示す側断面図であり、図２のＡ−Ａ矢視断面図である。
【図５】上記仕切パネルと棚板装置を上方から見た平面図である。
【図６】上記仕切パネルを構成する支持体を示す平面図である。
【図７】上記棚板装置を構成するブラケットを示す側面図である。
【図８】図６のＢ−Ｂ矢視断面図である。
【図９】上記ブラケットを支持体の係止孔に係止する状態を示す側断面図である。
【図１０】上記棚板を支持するブラケットを、仕切パネルの上部杆体よりも下方に配置した状態を示す側断面図である。
【図１１】上記棚板を支持するブラケットを、下限位置まで下げ、下部突出部を空間部内に挿入した状態を示す側断面図である。
【発明を実施するための形態】
【００１５】
以下、添付図面を参照して、本発明による天板付什器を実施するための形態を説明する。しかし、本発明はこの実施形態のみに限定されるものではない。
【００１６】
図１は、本発明の実施形態に係る天板付什器１の全体構成を示す側面図である。図２は、上記天板付什器１の正面図である。図３は、上記天板付什器１に設けられた仕切パネル２０と棚板装置３０を示す斜視図である。
図１〜図３に示すように、天板付什器１は、什器本体１０と、仕切パネル（仕切体）２０と、棚板装置３０と、を備えている。ここで、本実施形態の天板付什器１は、例えば、仕切パネル２０を挟んだ一方の側と他方の側とにそれぞれ天板１２が設けられ、複数の利用者が対面して利用できる対面式となっている。以下の説明において、仕切パネル２０を挟んで一方の側と他方の側とを結ぶ方向を対向方向Ｄａ、床面Ｆに直交する鉛直方向を上下方向Ｄｖ、対向方向Ｄａ及び上下方向Ｄｖに直交する方向を幅方向Ｄｗとする。
【００１７】
什器本体１０は、いわゆるデスクであり、支持構造体１１と、一対の天板１２と、を備えている。
【００１８】
支持構造体１１は、床面Ｆ上に設置され、天板１２を支持する。図１に示すように、支持構造体１１は、脚体１３と、支柱１４と、上部連結材１５（図２参照）と、を備えている。上記支持構造体１１を構成する各部材は、それぞれ鋼材や木材等からなる。
【００１９】
脚体１３は、什器本体１０において、支柱１４を間に挟んで対向方向Ｄａの一方の側と他方の側とにそれぞれ設けられている。対向方向Ｄａの一方の側と他方の側のそれぞれにおいて、脚体１３は、天板付什器１における幅方向Ｄｗの両端部に設けられている。各脚体１３は、下部脚部材１３ａと、一対の鉛直材１３ｂと、上部脚部材１３ｃと、を備えている。下部脚部材１３ａは、床面Ｆに沿って対向方向Ｄａに延びている。下部脚部材１３ａの対向方向Ｄａ両端部の下面には、アジャスター１３ｊが設けられている。アジャスター１３ｊは、下部脚部材１３ａの下面から下方への突出寸法が調整可能となっており、床面Ｆの傾斜や不陸に応じて、支持構造体１１の水平度を調整できるようになっている。一対の鉛直材１３ｂは、下部脚部材１３ａの対向方向Ｄａ両端部から上方に向かって延びている。上部脚部材１３ｃは、対向方向Ｄａに延び、一対の鉛直材１３ｂの上端部同士を連結している。これにより、各脚体１３は、幅方向Ｄｗから側面視すると矩形状に形成されている。
【００２０】
什器本体１０の幅方向Ｄｗ両端部のそれぞれにおいて、対向方向Ｄａの一方の側の脚体１３と、対向方向Ｄａの他方の側の脚体１３とは、対向方向Ｄａに間隔をあけて配置されている。
【００２１】
図２に示すように、支柱１４は、幅方向Ｄｗに間隔をあけて二本一対で設けられている。一対の支柱１４は、什器本体１０の幅方向Ｄｗの両端部にそれぞれ設けられている。各支柱１４は、床面Ｆから上方に向かって延びている。図１に示すように、各支柱１４は、対向方向Ｄａの一方の側の脚体１３と、対向方向Ｄａの他方の側の脚体１３との間に挟み込まれている。各支柱１４と、対向方向Ｄａ両側の脚体１３とは、それぞれ、係止爪による係止、ボルト留め、溶接による接合等によって、互いに固定されている。
【００２２】
図２に示すように、上部連結材１５は、支持構造体１１において、対向方向Ｄａの中間部に設けられている。上部連結材１５は、一対の支柱１４の間に設けられている。上部連結材１５は、幅方向Ｄｗに延び、その両端部が、金具（図示無し）等を介したボルト留め、溶接による接合等によって一対の支柱１４に接続されている。
【００２３】
図１に示すように、天板１２は、什器本体１０において、対向方向Ｄａの一方の側と他方の側とにそれぞれ設けられている。対向方向Ｄａの一方の側と他方の側のそれぞれにおいて、天板１２は、支持構造体１１上に支持されている。天板１２は、それぞれ平面視長方形の板状で、その長手方向を幅方向Ｄｗに沿わせ、短手方向を対向方向Ｄａに沿わせて設けられている。各天板１２は、上方を向く作業面１２ｆを有している。
【００２４】
対向方向Ｄａの一方の側の天板１２と、他方の側の天板１２とは、対向方向Ｄａに間隔をあけて設けられている。これにより、対向方向Ｄａで互いに対向する天板１２の端部１２ｅ同士の間には、上方に向かって開口する空間部１６が形成されている。空間部１６は、幅方向Ｄｗに連続して形成されている。なお、空間部１６は、幅方向Ｄｗにおいて、天板１２と同等の長さに形成されていても、天板１２よりも短く形成されていてもよい。
【００２５】
空間部１６の下方には、配線収容部材１７が設けられている。配線収容部材１７は、天板１２の下面に固定されている。配線収容部材１７は、上方に開口する有底状に形成されている。配線収容部材１７は、一対の支柱１４の間のほぼ全長にわたって設けられている。これにより、空間部１６の下方には、有底溝状の配線収容空間が幅方向Ｄｗに連続して設けられている。また、空間部１６は、配線収容部材１７内に配線等を挿通させる配線挿通空間１６ｓとしても機能する。
【００２６】
また、図３に示すように、天板１２の端部１２ｅと、後述する仕切パネル２０との間には、空間部１６を上方から塞ぐカバー１８が着脱可能に設けられている。カバー１８の上面１８ｔは、カバー１８を空間部１６に装着した状態で、天板１２の作業面１２ｆとほぼ同じ高さとなるように設けられている。
【００２７】
図４は、天板付什器１に設けられた仕切パネル２０と棚板装置３０を示す側断面図であり、図２のＡ−Ａ矢視断面図である。なお、図４では、仕切パネルに対して対向方向Ｄａの一方の側に設けられた什器本体１０、棚板装置３０のみを図示している。図５は、仕切パネル２０と棚板装置３０を上方から見た平面図である。
図３〜図５に示すように、仕切パネル２０は、天板１２上に設けられている。仕切パネル２０は、一対の支持体２１と、上部杆体（杆体）２２と、パネル２３と、を備えている。
【００２８】
一対の支持体２１は、幅方向Ｄｗに間隔をあけて、天板付什器１の両端部に設けられている。各支持体２１は、上下方向Ｄｖに延び、作業面１２ｆよりも上方に突出している。本実施形態において、支持体２１は、支柱１４に連続して設けられている。換言すると、支持体２１は、支柱１４のうち作業面１２ｆよりも上方に突出する部分により形成されている。なお、支持体２１は、支柱１４とは別体とし、支柱１４上に立設してもよい。さらに、支持体２１は、什器本体１０上に設けられるのであれば、支柱１４上以外の部分に配置してもよい。また、支柱１４と支持体２１とを別体とした場合において、支持体２１の下端が天板１２よりも下方に位置していてもよい。
【００２９】
図６は、上記仕切パネル２０を構成する支持体２１を示す平面図である。
図６に示すように、支持体２１は、支持体本体２４と、外部カバー２５と、を備えている。支持体本体２４は、平面視矩形で筒状をなした角形鋼材からなる。支持体本体２４において、対向方向Ｄａ両側の装着面２４ｆには、複数の係止孔２６がそれぞれ形成されている。図１に示すように、複数の係止孔２６は、上下方向Ｄｖに間隔をあけて設けられている。図６に示すように、これら複数の係止孔２６は、装着面２４ｆにおいて、幅方向Ｄｗの中央部に配置されている。各係止孔２６は、装着面２４ｆを対向方向Ｄａに貫通し、上下方向Ｄｖに長い縦長のスリット状に形成されている。
【００３０】
外部カバー２５は、支持体本体２４の四隅の外側に設けられている。外部カバー２５は、対向方向Ｄａから見ると、幅方向Ｄｗに間隔をあけて設けられている。幅方向Ｄｗで互いに隣り合う外部カバー２５同士の間には、複数の係止孔２６が露出している。
【００３１】
外部カバー２５は、主壁部２５ａと、側壁部２５ｂと、を有している。主壁部２５ａは、支持体本体２４の装着面２４ｆに対し、対向方向Ｄａに間隔をあけて、装着面２４ｆと平行に設けられている。主壁部２５ａにおいて、幅方向Ｄｗにおいて係止孔２６に近接した側の端部には、対向方向Ｄａに沿って装着面２４ｆ側に延びるスリット壁部２５ｃが設けられている。すなわち、複数の係止孔２６に対して幅方向Ｄｗの両側には、それぞれ外部カバー２５のスリット壁部２５ｃが設けられている。
【００３２】
側壁部２５ｂは、支持体本体２４において幅方向Ｄｗ両側の支持体側面２４ｓに対し、幅方向Ｄｗに間隔をあけて、支持体側面２４ｓと平行に設けられている。側壁部２５ｂは、主壁部２５ａに接続されている。側壁部２５ｂには、支持体側面２４ｓの対向方向Ｄａの中心部に近接した側の端部から、幅方向Ｄｗに沿って支持体側面２４ｓ側に延びるサポート壁部２５ｄが形成されている。外部カバー２５は、幅方向Ｄｗから見たときに、対向方向Ｄａにおける一方の側の外部カバー２５のサポート壁部２５ｄと、対向方向Ｄａ他方の側の外部カバー２５のサポート壁部２５ｄとが、間隔をあけて配置されている。これにより、対向方向Ｄａ一方の側の外部カバー２５のサポート壁部２５ｄと、対向方向Ｄａ他方の側の外部カバー２５のサポート壁部２５ｄとの間に、パネル２３の端部２３ｓが挿入されるパネル挿入溝２７が形成されている。
このような支持体２１の上端部は、図示しないキャップにより閉塞されている。
【００３３】
図３〜図６に示すように、上部杆体２２は、幅方向Ｄｗに延び、幅方向Ｄｗ両側の支持体２１の上端部の間に架設されている。上部杆体２２は、例えば、幅方向Ｄｗから見たときに断面視矩形で筒状をなした角形鋼材からなる。上部杆体２２の上端面２２ｔは、上方を向き、支持体２１の上端と上下方向Ｄｖで同じ高さに設けられている。すなわち、上部杆体２２の上端面２２ｔと、支持体２１の上端面２１ｔとが、仕切パネル２０の上端面２０ｔを形成する。
【００３４】
パネル２３は、上部杆体２２の下側に設けられている。パネル２３は、幅方向Ｄｗ両側の支持体２１の間に設けられている。パネル２３において、幅方向Ｄｗ両側の端部２３ｓは、支持体２１に形成されたパネル挿入溝２７に挿入されている。
パネル２３は、板状で、光透過性を有した樹脂材やガラス材、又は光透過性を有さない金属材や樹脂材、木材等から形成されている。
【００３５】
パネル２３は、対向方向Ｄａの厚さが、上部杆体２２の対向方向Ｄａの厚さよりも小さい。パネル２３は、支持体２１及び上部杆体２２に対し、対向方向Ｄａの中央部に配置されている。これにより、仕切パネル２０は、上部杆体２２の下側、及び支持体２１の幅方向Ｄｗの内側に、上部杆体２２において対向方向Ｄａを向く前後端面２２ｆに対し、対向方向Ｄａ内側（什器本体１０の天板１２の手前側に位置する利用者から見て奥側）に窪んだ凹部２８が形成されている。
【００３６】
棚板装置３０は、仕切パネル２０の対向方向Ｄａにおける一方の側と他方の側に、それぞれ着脱可能に設けられている。すなわち、棚板装置３０は、仕切パネル２０の対向方向Ｄａの両側にそれぞれ設けてもよいし、仕切パネル２０の対向方向Ｄａの何れか一方の側のみに設けてもよい。さらに、棚板装置３０は、仕切パネル２０の対向方向Ｄａの両面に備えないこともできる。
【００３７】
棚板装置３０は、一対のブラケット３１と、棚板３２と、を備えている。
一対のブラケット３１は、天板１２の幅方向Ｄｗに間隔をあけて設けられている。各ブラケット３１は、基端部３１ａが支持体２１に対して上下方向Ｄｖに位置変更可能に装着される。
【００３８】
図７は、棚板装置３０を構成するブラケット３１を示す側面図である。図８は、図６のＢ−Ｂ矢視断面図である。
図７、図８に示すように、ブラケット３１は、基端部３１ａを支持体２１に装着した状態で、基端部３１ａから先端部３１ｂに向かって、対向方向Ｄａに沿って支持体２１から離間する方向に延びている。ブラケット３１は、例えば板金材料からなり、側板部３３と、棚板支持部３４と、下部突出部３５と、係止爪３６、３７（図７参照）を有している。
【００３９】
図３〜図６に示すように、側板部３３は、作業面１２ｆに直交する面内に位置する板状で、棚板３２に対して幅方向Ｄｗ外側に配置されている。図３、図７に示すように、側板部３３は、上辺部３３ｔと、下辺部３３ｂと、を有している。上辺部３３ｔは、ブラケット３１の基端部３１ａから先端部３１ｂに向かって、天板１２の作業面と平行な対向方向Ｄａに沿って直線状に延びている。下辺部３３ｂは、上辺部３３ｔの下方において上辺部３３ｔと平行に延びている。なお、下辺部３３ｂは、上辺部３３ｔに沿って対向方向Ｄａに延びていれば、必ずしも上辺部３３ｔと平行でなくてもよい。
【００４０】
棚板支持部３４は、側板部３３の上辺部３３ｔよりも下方に設けられている。棚板支持部３４は、側板部３３から棚板３２の幅方向Ｄｗ内側に突出して設けられている。棚板支持部３４は、対向方向Ｄａに連続する板状で、その上面で棚板３２を支持する。棚板支持部３４には、下方に向かって延び、側板部３３に接合される接合基部３４ａが一体に設けられている。
【００４１】
下部突出部３５は、ブラケット３１の基端部３１ａに設けられている。下部突出部３５は、側板部３３において基端部３１ａ側から下方に突出するよう、側板部３３と一体に形成されている。
【００４２】
図７に示すように、係止爪３６，３７は、ブラケット３１の基端部３１ａから対向方向Ｄａの内側（先端部３１ｂ側とは反対側）に突出して設けられている。
係止爪３６は、基端部３１ａの上部に設けられている。係止爪３６は、ブラケット３１の基端部３１ａから対向方向Ｄａの内側に突出する突出基部３６ａと、突出基部３６ａの先端から上方に向かって突出する上向片３６ｂとを一体に備えている。
【００４３】
係止爪３７は、基端部３１ａの下部に、例えば２個設けられている。各係止爪３７は、ブラケット３１の基端部３１ａから対向方向Ｄａの内側に突出する突出基部３７ａと、突出基部３７ａの先端から下方に向かって突出する下向片３７ｂとを一体に備えている。
【００４４】
図９は、ブラケット３１を支持体２１の係止孔２６に係止する状態を示す側断面図である。
図９に示すように、係止爪３６、３７は、支持体２１に設けられた複数の係止孔２６に対し、上下方向Ｄｖで選択的に係止させることができる。
ブラケット３１を支持体２１に装着するには、基端部３１ａに対して先端部３１ｂが斜め上方に位置するように傾斜させた状態（図９において、二点鎖線Ｌａで示した状態）で、まず、係止爪３６を、支持体２１の係止孔２６に挿入する。このとき、係止爪３６の上向片３６ｂが係止孔２６を通過した後、ブラケット３１の先端部３１ｂを下げる。すると、図９において、二点鎖線Ｌｂに示すように、下側の係止爪３７の下向片３７ｂが係止孔２６に挿入される。その後、図９中に、実線Ｌｃで示すように、ブラケット３１の基端部３１ａを、支持体２１の装着面２４ｆに突き当てることで、係止爪３６の突出基部３７ａが係止孔２６の内側に挿入された状態となる。しかる後、ブラケット３１を下方にスライドさせると、係止爪３７の下向片３７ｂが、係止孔２６の下側で、支持体２１の内周面２１ｉに突き当たる。また、係止爪３６の上向片３６ｂも、係止孔２６の上側で、支持体２１の内周面２１ｉに突き当たる。これにより、ブラケット３１の基端部３１ａが、支持体２１に強固に固定される。
【００４５】
図３、図８に示すように、棚板３２は、上記のようにして支持体２１に装着される一対のブラケット３１上に支持される。棚板３２は、上面３２ｔが水平面内に位置するように設けられている。棚板３２は、その上面３２ｔに各種の物品が載置可能とされている。棚板３２は、平面視長方形状をなしている。本実施形態において、棚板３２は、その長手方向を幅方向Ｄｗに沿わせ、短手方向を対向方向Ｄａに沿わせて設けられている。
【００４６】
図８に示すように、棚板３２は、幅方向Ｄｗ両側の側端部３２ｓに、被支持部３８を有している。被支持部３８は、側端部３２ｓに沿って、対向方向Ｄａに連続して設けられている。被支持部３８は、棚板３２の上面３２ｔの幅方向Ｄｗの両端から垂下する垂下壁部３８ａと、垂下壁部３８ａの下端から幅方向Ｄｗ内側に延びる突出片３８ｂと、を有している。被支持部３８の突出片３８ｂは、ブラケット３１の棚板支持部３４に載置される。なお、突出片３８ｂにおける幅方向Ｄｗ内側の端部に、上方に向けて突出する位置決め片を形成してもよい。これにより、突出片３８ｂは、棚板支持部３４に載置された状態で、側板部３３と位置決め片との間に幅方向Ｄｗで保持される。
【００４７】
また、被支持部３８の垂下壁部３８ａは、ブラケット３１の側板部３３に対して幅方向Ｄｗの内側において、側板部３３に沿うように設けられている。これにより棚板３２は、下方および幅方向Ｄｗへの移動が規制された状態で、ブラケット３１に支持されている。被支持部３８がブラケット３１の棚板支持部３４上に支持された状態で、棚板３２の上面３２ｔは、ブラケット３１の上辺部３３ｔと同じ高さとなる。
【００４８】
また、図６に示すように、棚板３２の対向方向Ｄａの両端部には、棚板３２の下面に沿って幅方向Ｄｗに延びる補強リブ３９Ａ，３９Ｂが形成されている。
このような棚板３２は、板金加工により形成することができる。
【００４９】
このような棚板装置３０は、一対のブラケット３１の支持体２１に対する上下方向Ｄｖの取付位置を異ならせることで、棚板３２の高さが変更可能となっている。
ブラケット３１の支持体２１に対する上下方向Ｄｖの取付位置を異ならせるには、上下方向Ｄｖに複数が形成された係止孔２６に対する、ブラケット３１の係止爪３６，３７の係止位置を変更する。
【００５０】
図１０は、棚板３２を支持するブラケット３１を、仕切パネル２０の上部杆体２２よりも下方に配置した状態を示す側断面図である。図１１は、棚板３２を支持するブラケット３１を、下限位置まで下げ、下部突出部３５を空間部１６内に挿入した状態を示す側断面図である。
図１０に示すように、棚板３２を上部杆体２２よりも下方に位置させるよう、ブラケット３１を支持体２１に装着することができる。この状態で、仕切パネル２０が、棚板３２の上面３２ｔよりも上方に突出する。これにより、棚板３２の上面３２ｔに載せた物品が仕切パネル２０側に脱落するのを抑えることができる。また、この状態で、棚板３２において仕切パネル２０に対向する対向面３２ｘは、上部杆体２２よりも下方のパネル２３（凹部２８）に臨む。これにより、棚板３２の対向面３２ｘとパネル２３との間に、対向方向Ｄａの隙間Ｘが形成される。この隙間Ｘを通して、棚板３２上に載置する機器の配線等を挿通させることができる。
【００５１】
図１１に示すように、ブラケット３１の支持体２１に対する取付位置をさらに下げると、ブラケット３１の基端部３１ａに形成された下部突出部３５が、天板１２の作業面１２ｆに対して下方に窪んだ空間部１６（配線挿通空間１６ｓ）内に挿入される。この状態で、ブラケット３１の側板部３３の下辺部３３ｂは、天板１２の作業面１２ｆに近接又は当接して作業面１２ｆに沿った状態となる。これにより、棚板３２の幅方向Ｄｗ両側の端部において、棚板３２の側端部３２ｓと天板１２の作業面１２ｆ（又はカバー１８）との隙間が、ブラケット３１の側板部３３によって塞がれる。そのため、天板１２、カバー１８、仕切パネル２０、ブラケット３１及び棚板３２により対向方向Ｄａの外側に開口する空間が形成される。
【００５２】
また、図３、図４に示すように、ブラケット３１の支持体２１に対する取付位置を上げ、棚板３２の上面３２ｔを、仕切パネル２０の上端面２０ｔと同じ高さに設定することができる。また、この状態で、棚板３２は、仕切パネル２０の支持体２１及び上部杆体２２に対向方向Ｄａで近接又は当接する。これにより、棚板３２と仕切パネル２０との隙間が小さくなる。このようにして、棚板３２の上面３２ｔと仕切パネル２０の上端面２０ｔとが連続的に形成される。すると、棚板３２の上面３２ｔに載せた物品を、仕切パネル２０の上端面２０ｔを通して後方（仕切パネル２０に対して棚板３２が設けられた側と反対側）に、容易に受け渡すことが可能となる。
【００５３】
このように、本実施形態の天板付什器１は、什器本体１０のうち、ブラケット３１の基端部３１ａと上下方向Ｄｖで対向する部分には、天板１２の作業面１２ｆに対して下方に窪み、ブラケット３１の基端部３１ａの少なくとも下端部を収容可能な空間部１６が形成された構成とした。
このような構成によれば、棚板３２を支持するブラケット３１の基端部３１ａの少なくとも下端部が、天板１２の作業面１２ｆに対して下方に窪む空間部１６に収容されることで、ブラケット３１の基端部３１ａにおける上下方向Ｄｖの長さを確保しつつ、ブラケット３１及び棚板３２を、より低い位置まで下げることができる。これにより、ブラケット３１における棚板３２の支持強度を確保しつつ、棚板３２の上下方向Ｄｖにおける取付位置の自由度を高めて、使い勝手を向上させることが可能となる。
【００５４】
本実施形態では、空間部１６は、天板１２の作業面１２ｆよりも下方において配線を挿通させる配線挿通空間１６ｓである構成とした。
このような構成によれば、ブラケット３１の基端部３１ａの少なくとも下端部を配線挿通空間１６ｓに収容することで、基端部３１ａの収容空間（空間部１６）と配線挿通空間１６ｓとを共用できる。これにより、配線挿通空間１６ｓとは別に空間部１６をわざわざ設ける必要が無く、レイアウト性の向上や、空間部１６を設置するためのコストの削減を図ることができる。
【００５５】
本実施形態では、ブラケット３１は、作業面１２ｆに直交する面内に位置する板状に形成された構成とした。
このような構成によれば、ブラケット３１を板状とすることで、棚板３２との一体感を高めることができる。
しかも、本実施形態では、ブラケット３１が、棚板３２の上面３２ｔに沿う上辺部３３ｔと、上辺部３３ｔの鉛直下方において上辺部３３ｔと平行に延びる下辺部３３ｂと、下辺部３３ｂの基端部３１ａ側から下方に突出し、空間部１６に挿入可能とされた下部突出部３５と、を備える構成とした。
この構成によれば、下辺部３３ｂが天板１２の作業面１２ｆに近接又は当接する位置までブラケット３１を下げることで、下辺部３３ｂを天板１２の作業面１２ｆに沿わせることができる。これにより、ブラケット３１により、棚板３２の下方空間を天板１２の幅方向Ｄｗで仕切ることができる。
【００５６】
本実施形態では、ブラケット３１の基端部３１ａに、支持体２１に形成された複数の係止孔２６に選択的に係合可能な係止爪３６，３７を有する構成とした。
このような構成によれば、支持体２１の上下方向Ｄｖに設けられた複数の係止孔２６に対し、ブラケット３１の係止孔２６の係止位置を上下方向Ｄｖで選択することで、ブラケット３１及び棚板３２の高さを容易に変更することができる。
【００５７】
本実施形態では、ブラケット３１は、棚板３２に対して幅方向Ｄｗ外側に位置し、棚板３２の幅方向Ｄｗ外側の側端部３２ｓを覆う側板部３３と、側端部３２ｓの上端よりも下方で側板部３３に対して棚板３２の幅方向Ｄｗ内側に突出して設けられ、棚板３２の側端部３２ｓを下方から支持する棚板支持部３４と、を備える構成とした。
このような構成によれば、側板部３３の幅方向Ｄｗ内側に設けられた棚板支持部３４で棚板３２の側端部３２ｓを支持するとともに、側板部３３で側端部３２ｓを幅方向Ｄｗ外側から覆うことで、棚板３２の側端部３２ｓとブラケット３１の接続部分が幅方向Ｄｗ外側に露呈するのを抑えることができる。これにより、棚板３２とブラケット３１と一体感を高めることができる。
【００５８】
本実施形態では、一対の支持体２１の間に、天板１２の幅方向Ｄｗに連続する仕切パネル２０が設けられ、棚板３２の上面３２ｔが仕切パネル２０の上端面２０ｔと上下方向Ｄｖで同じ高さとなる位置で、棚板３２を支持するブラケット３１が支持体２１に装着可能とされている構成とした。
このような構成によれば、棚板３２の上面３２ｔを仕切パネル２０の上端面２０ｔと上下方向Ｄｖで同じ高さとなるようにブラケット３１を支持体２１に装着すれば、棚板３２の上面３２ｔと仕切パネル２０の上端面２０ｔとが連続的に形成される。これにより、棚板３２の上面３２ｔに載せた物品を、仕切パネル２０の上端面２０ｔを通して後方（仕切パネル２０に対して棚板３２が設けられた側と反対側）に、容易に受け渡すことが可能となる。
【００５９】
本実施形態では、仕切パネル２０は、一対の支持体２１の上端部間で天板１２の幅方向Ｄｗに延びる上部杆体２２と、上部杆体２２の下方において、対向方向Ｄａの内側に窪む凹部２８と、を備える構成とした。
このような構成によれば、棚板３２の上面３２ｔが仕切パネル２０の上端面２０ｔ（上部杆体２２の上端面２２ｔ）と上下方向Ｄｖで同じ高さとなるように、ブラケット３１を支持体２１に装着すると、棚板３２と上部杆体２２との隙間が小さくなり、棚板３２の上面３２ｔと上部杆体２２の上端面２０ｔとが連続的に形成される。
一方、棚板３２を上部杆体２２よりも下方に位置させ、棚板３２が上部杆体２２よりも下方の凹部２８に臨むよう、ブラケット３１を支持体２１に装着すれば、棚板３２と仕切パネル２０の凹部２８との間に、対向方向Ｄａの隙間Ｘが形成される。この隙間Ｘを通して、棚板３２上に載置する機器の配線等を挿通させることができ、利便性が高まる。
【００６０】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、ブラケット３１の下部突出部３５が挿入される空間部１６として、配線挿通空間１６ｓを例示したが、これに限らない。配線挿通空間１６ｓとは別に、ブラケット３１の下端部が挿入可能な空間部１６を設けてもよい。また、配線挿通空間１６ｓを備えない場合であっても、天板１２の作業面１２ｆよりも下方に窪み、ブラケット３１の下端部が挿入可能な空間部１６を設けてもよい。
【００６１】
上述した実施形態では、ブラケット３１の側板部３３は、棚板３２の側端部３２ｓを覆うようにしたが、これに限らない。棚板３２の側端部３２ｓを幅方向Ｄｗ外側に露呈させる構成としてもよい。さらに、ブラケット３１は、棚板３２の側端部３２ｓよりも幅方向Ｄｗ内側に配置してもよい。
また、上述した実施形態では、ブラケット３１は、側板部３３を備えて板状をなすようにしたが、これに限らない。基端部３１ａから先端部３１ｂに向かって、棚板３２の下面に沿って延びる部分と、基端部３１ａから下方に向かって延びる部分（下部突出部３５）とを設けて、側面視Ｌ字状としてもよい。これ以外にも、ブラケット３１の形状、構成については適宜変更することができる。
【００６２】
上述した実施形態では、ブラケット３１と棚板３２とを別部品により構成したが、これに限らない。棚板３２と一対のブラケット３１とを一体的にユニット化しても良い。
【００６３】
上述した実施形態では、棚板３２の上面３２ｔを仕切パネル２０の上端面２０ｔと上下方向Ｄｖで同じ高さとなるように、ブラケット３１の上下方向Ｄｖの位置変更を可能としたが、これに限らない。棚板３２の上面３２ｔが仕切パネル２０の上端面２０ｔよりも上方となる位置、あるいは棚板３２の上面３２ｔが上端面２０ｔよりも下方となる位置を、棚板３２の設置上限としてもよい。
【００６４】
上述した実施形態では、棚板３２を下げたときに、ブラケット３１の基端部３１ａの下部突出部３５が空間部１６に収容されるようにしたが、これに限らない。例えば、ブラケット３１の全体が天板１２の作業面１２ｆよりも下方に収納されるように、空間部１６を形成してもよい。この場合、空間部１６は、ブラケット３１の基端部３１ａと先端部３１ｂとを結ぶ対向方向Ｄａに延びるスリット状とすることもできる。
【００６５】
上述した実施形態では、仕切パネル２０は、上部杆体２２の下方に凹部２８を有するようにしたが、これに限らない。仕切パネル２０は、単なる平板状とすることもできる。
【００６６】
上述した実施形態では、什器本体１０の各部の構成を例示したが、その構成については限定するものではない。例えば、対向方向Ｄａにおいて仕切パネル２０の両側に天板１２を備えるようにしたが、仕切パネル２０の一方の側のみに天板１２を備えても良い。また、天板１２や仕切パネル２０、棚板装置３０を、幅方向Ｄｗに複数組連ねて備えるようにしてもよい。
【００６７】
上述した実施形態では、天板１２を有する什器本体１０として、デスクを例に挙げたが、これに限らない。什器本体は、デスク以外にも、カウンター、各種の作業台等の各種の用途、使用形態のものであってもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６８】
１  天板付什器
１０  什器本体
１２  天板
１２ｆ  作業面
１６  空間部
１６ｓ  配線挿通空間
２０  仕切パネル（仕切体）
２１  支持体
２２  上部杆体（杆体）
２４ｆ  装着面
２６  係止孔
２８  凹部
３１  ブラケット
３１ａ  基端部
３１ｂ  先端部
３２  棚板
３２ｓ  側端部
３２ｔ  上面
３２ｘ  対向面
３３  側板部
３３ｂ  下辺部
３３ｔ  上辺部
３４  棚板支持部
３５  下部突出部
３６，３７  係止爪
Ｄａ  対向方向
Ｄｖ  上下方向
Ｄｗ  幅方向
【図１】
2020069032.tif 000003
【図２】
2020069032.tif 000004
【図３】
2020069032.tif 000005
【図４】
2020069032.tif 000006
【図５】
2020069032.tif 000007
【図６】
2020069032.tif 000008
【図７】
2020069032.tif 000009
【図８】
2020069032.tif 000010
【図９】
2020069032.tif 000011
【図１０】
2020069032.tif 000012
【図１１】
2020069032.tif 000013